(57)【要約】      （修正有）【課題】笠木に照明を内蔵したものであって、笠木の長手方向に対する照明の取付位置を容易に調整可能な手すりを提供する。【解決手段】笠木１、笠木の内部に納まる照明体２、照明体２を笠木１に固定する係止部材３および引き寄せ部材４を備える手すりであって、笠木１は中空構造であり、周壁部１１、周壁部１１に形成された内外周方向に貫通する透光部、周壁部１１の内周側に形成された笠木１の長手方向に沿って延びる２つの係止壁１３を有し、２つの係止壁１３は対向するように周壁部１１から内周側に突出し、両係止壁１３の内周側端部の間に笠木１の長手方向に沿って延びる間隙部１４が形成され、照明体２および係止部材３は２つの係止壁１３を挟むように笠木１の周壁部１１の内周側に納まり、引き寄せ部材４は間隙部１４を通して照明体２と係止部材３を相互に引き寄せ、照明体２と係止部材３で係止壁１３を挟み込み、照明体２を笠木１に固定してある。【選択図】図１
2020084735.tif 000002
【特許請求の範囲】
【請求項１】
笠木と、該笠木の内部に納まる照明体と、該照明体を前記笠木に固定するための係止部材および引き寄せ部材を備える手すりであって、
前記笠木は、中空構造であって、周壁部と、該周壁部に形成された、内外周方向に貫通する透光部と、前記周壁部の内周側に形成された、前記笠木の長手方向に沿って延びる２つの係止壁を有しており、
２つの該係止壁は、対向するように前記周壁部から内周側に突出していて、両係止壁の内周側端部の間に、前記笠木の長手方向に沿って延びる間隙部が形成されており、
前記照明体および前記係止部材は、２つの前記係止壁を挟むようにして前記笠木の周壁部の内周側に納まっており、
前記引き寄せ部材は、前記間隙部を通して前記照明体と前記係止部材とを相互に引き寄せるものであり、前記照明体と前記係止部材で前記係止壁を挟み込んで、前記照明体を前記笠木に固定してあることを特徴とする手すり。
【請求項２】
前記係止部材は、２つの前記係止壁にそれぞれ係止する係止部と、前記間隙部に挿入される挿入部を有することを特徴とする請求項１記載の手すり。
【発明の詳細な説明】
【技術分野】
【０００１】
本発明は、照明を内蔵した手すりに関する。
【背景技術】
【０００２】
通路やベランダなどに設置される手すりにおいて、従来、特許文献１に示すように、人が手を掛けるための笠木に照明を内蔵したものがある。このような手すりによれば、別途照明器具を設置する必要がなく、人の足元を照らすことで安全性が確保され、また光の照射による演出効果が得られる。
【先行技術文献】
【特許文献】
【０００３】
【特許文献１】特開２００３−２４９１１９号公報
【発明の概要】
【発明が解決しようとする課題】
【０００４】
しかしながら、特許文献１の手すりは、照明を、笠木を構成する形材に直接ネジ止めして固定するものであったため、笠木の長手方向に対する照明の取付位置を調整することが容易ではなかった。
【０００５】
本発明は、このような事情を鑑みたものであり、笠木に照明を内蔵したものであって、笠木の長手方向に対する照明の取付位置を容易に調整可能な手すりを提供することを目的とする。
【課題を解決するための手段】
【０００６】
本発明のうち請求項１の発明は、笠木と、該笠木の内部に納まる照明体と、該照明体を前記笠木に固定するための係止部材および引き寄せ部材を備える手すりであって、前記笠木は、中空構造であって、周壁部と、該周壁部に形成された、内外周方向に貫通する透光部と、前記周壁部の内周側に形成された、前記笠木の長手方向に沿って延びる２つの係止壁を有しており、２つの該係止壁は、対向するように前記周壁部から内周側に突出していて、両係止壁の内周側端部の間に、前記笠木の長手方向に沿って延びる間隙部が形成されており、前記照明体および前記係止部材は、２つの前記係止壁を挟むようにして前記笠木の周壁部の内周側に納まっており、前記引き寄せ部材は、前記間隙部を通して前記照明体と前記係止部材とを相互に引き寄せるものであり、前記照明体と前記係止部材で前記係止壁を挟み込んで、前記照明体を前記笠木に固定してあることを特徴とする。なお、引き寄せ部材は、照明体と係止部材とを相互に引き寄せるもの、すなわち、相互に近づく方向に付勢力を作用させるものであり、たとえは、ネジや、ボルトおよびナットからなるものであってもよいし、バネなどの弾性部材を用いたものであってもよい。
【０００７】
本発明のうち請求項２の発明は、前記係止部材は、２つの前記係止壁にそれぞれ係止する係止部と、前記間隙部に挿入される挿入部を有することを特徴とする。
【発明の効果】
【０００８】
本発明のうち請求項１の発明によれば、引き寄せ部材が、笠木の長手方向に延びる間隙部を通すものであるから、照明体と係止部材により、係止壁を笠木の長手方向の任意の位置で挟み込んで、照明体を笠木に固定できる。よって、笠木の長手方向に対する照明体の取付位置が容易に調整可能である。
【０００９】
本発明のうち請求項２の発明によれば、係止部材の挿入部が笠木の長手方向に延びる間隙部に挿入されているので、係止部材が、間隙部に沿ってスムーズに移動可能であり、かつ笠木の長手方向に直交する方向について位置決めされる。
【図面の簡単な説明】
【００１０】
【図１】笠木の長手方向に直交する方向の断面図（図６のＡ−Ａ線断面図）である。
【図２】笠木の長手方向の断面図（図１のＥ−Ｅ線断面図）である。
【図３】笠木の長手方向に直交する方向の断面図（図６のＢ−Ｂ線断面図）である。
【図４】笠木の長手方向に直交する方向の断面図（図６のＣ−Ｃ線断面図）である。
【図５】笠木の長手方向に直交する方向の断面図（図６のＤ−Ｄ線断面図）である。
【図６】手すりの第一実施形態の部分正面図である。
【図７】手すりの第一実施形態における笠木の取付構造の説明図である。
【図８】手すりの第一実施形態の照明体の配線の説明図である。
【図９】照明体の正面図である。
【図１０】照明体を取り付けた係止部材の正面図である。
【図１１】手すりの第一実施形態の施工手順の説明図である。
【図１２】手すりの第二実施形態における笠木の取付構造の説明図である。
【図１３】手すりの第二実施形態の部分正面図である。
【図１４】手すりの第三実施形態における笠木の取付構造の説明図である。
【図１５】手すりの第三実施形態の部分正面図である。
【発明を実施するための形態】
【００１１】
以下、本発明の手すりの具体的な内容について説明する。なお、以下において、前後方向とは手すりの見込方向であり、左右方向とは手すりの笠木が延びる方向である。
【００１２】
まず、手すりの第一実施形態の全体構成について説明する。第一実施形態は、壁面に沿った通路において、歩行者の補助のために設置されるものであって、壁面に直接取り付けられるものである。第一実施形態においては、壁面側が後側となり、壁面の前側に手すりが取り付けられる。図６および図７に示すように、この手すりの第一実施形態は、笠木１と、笠木１の内部に納まる照明体２と、照明体２を笠木１に固定するための係止部材３および引き寄せネジ（引き寄せ部材）４と、笠木１を壁面Ｗに固定するためのブラケット５を備える。笠木１は、左右に直線状に延びており、その内部に、複数の照明体２を等間隔で設けてある。そして、複数のブラケット５を壁面Ｗに左右等間隔に取り付けてあって、これらのブラケット５により笠木１が支持されている。以下、手すりの第一実施形態の各構成部材について、より詳しく説明する。
【００１３】
笠木１は、図１、図３〜図５に示すように、断面略円形の中空構造であって、笠木本体１５と、目板１６、取付部材１７および透光カバー１８により構成される。
【００１４】
笠木本体１５は、左右に延びる金属製の押出形材からなるものであり、左右方向から見て略３／４円弧状の周壁部１１を有し、前後対称で下側に開口する向きとなっている。周壁部１１の内周側の上部には、笠木１の長手方向に沿って延びる２つの係止壁１３が形成されている。２つの係止壁１３は、前後の周壁部１１の同じ高さ位置から、互いに対向するように水平方向内周側に突出しており、両係止壁１３の内周側端部の間に、間隙部１４が形成されている。間隙部１４は、係止壁１３と同様に、笠木１の長手方向に沿って延びている。また、周壁部１１の前後の下端は、屈曲して水平方向内周側に突出しており、この突出部分が爪部１１１となっている。なお、本実施形態において、笠木本体１５の円弧部分の直径は、握りやすさを考慮して３４ｍｍとしてある。
【００１５】
目板１６は、図１、図４、図６および図１１に示すように、笠木本体１５の下部の開口を塞ぐものであり、笠木本体１５に取り付けた状態において、左右方向から見て略３／４円弧状の周壁部１１に対して、残りの１／４円弧部分となる形状である。ただし、前後方向中央部（下端部）には、下側に向けて開口する断面略コ字形の溝部１６１を形成してある。また、前後端部の上面は、周壁部１１の前後の下端面と当接する水平面となっており、この前後の水平面の内周側部分に、上向きに延出する延出片１６２を形成してある。延出片１６２は、周壁部１１の前後の爪部１１１にそれぞれ内周側から当接している。そして、目板１６は左右に延びるものであるが、笠木本体１５よりは短く、左右に所定の間隔を空けて笠木本体１５に取り付けられる。本実施形態では、左右に延びる笠木本体１５に対して、約０．５ｍごとに、７０ｍｍの間隔と３５ｍｍの間隔を交互に空けて取り付けられている。なお、目板１６の溝部１６１の底面（前後方向中心）には、左右方向の複数箇所にネジ孔を形成してあり、このネジ孔に下側からネジを挿入して、後述の係止部材３に対して螺合させることで、目板１６を笠木本体１５に固定してある。このネジの頭部は、溝部１６１内に納まるので、前後方向からは見えなくなる。
【００１６】
取付部材１７は、図５、図６および図１１に示すように、笠木本体１５の下部の開口を塞ぐものであり、左右長さ以外、目板１６と同じ形状であって、溝部１７１と延出片１７２を有する。この取付部材１７は、目板１６同士の間の７０ｍｍの間隔を設けた部分に丁度嵌まるように取り付けられるものであり、すなわち、取付部材１７は、左右に延びる笠木本体１５に対して、約１ｍごとに取り付けられる。なお、取付部材１７の溝部１７１の底面（前後方向中心）には、左右２箇所にネジ孔を形成してあり、このネジ孔に下側からネジを挿入して、後述の係止部材３に対して螺合させることで、取付部材１７を笠木本体１５に固定してある。このネジの頭部は、溝部１７１内に納まるので、前後方向からは見えなくなる。また、この取付部材１７は、後述する他の実施形態（ブラケットにより笠木を壁面に取り付けるものではないもの）において、異なる形状のものが用いられる。
【００１７】
透光カバー１８は、図１、図３、図６および図１１に示すように、笠木本体１５の下部の開口を塞ぐものであり、半透明の樹脂からなるものであって、笠木本体１５に取り付けた状態において、左右方向から見て略３／４円弧状の周壁部１１に対して、残りの１／４円弧部分となる形状である。ただし、前後方向中央部（下端部）は、水平面状に形成してある。また、前後端部の上面は、周壁部１１の前後の下端面と当接する水平面となっており、この前後の水平面の内周側部分に、上向きに延出しその上端部から外周側に向けて突出する形状の係合爪１８１を形成してある。また、透光カバー１８の左右の端部には、左右方向から見て係合爪１８１以外の部分を塞ぐような垂直壁面１８２が形成されている。この透光カバー１８は、目板１６同士の間の３５ｍｍの間隔を設けた部分に丁度嵌まるように取り付けられるものであり、すなわち、透光カバー１８は、左右に延びる笠木本体１５に対して、約１ｍごとに取り付けられる。透光カバー１８を笠木本体１５に取り付けるには、前後の係合爪１８１がそれぞれ周壁部１１の前後の爪部１１１の内周側に位置するようにして、透光カバー１８を下側から笠木本体１５に対して押し込む。すると、透光カバー１８の前後の係合爪１８１が、周壁部１１の前後の爪部１１１に係合して、透光カバー１８が笠木本体１５に対して固定される。なお、笠木本体１５に対して目板１６と取付部材１７を取り付けて残された左右１ｍ間隔の開口が、周壁部１１に形成された内外周方向に貫通する透光部１２となるものであって、透光カバー１８はこの透光部１２を覆うように取り付けられるものである。
【００１８】
照明体２は、図９に示すように、左右に長い略直方体形のケース２１に、ＬＥＤやＤＣ／ＤＣコンバータ（何れも図示省略）を納めたものであり、ケース２１の左右の上端に、それぞれ左右に向けて延出するフランジ２２を形成してある。照明体２は、笠木１の内部に納まるものであり、各透光カバー１８に対応する位置に設けられる。図８に示すように、各照明体２は、コード２３により電気的に接続されており、手すりの左右の端部において、コード２３はブラケット５の内部を通って壁面Ｗの内部へと延びる。コード２３の先には、電源や調光のためのコントローラ（何れも図示省略）が接続されている。
【００１９】
係止部材３は、図１および図１０に示すように、左右に延びる板状のものであって、下面の前端部と後端部が略矩形状に切り欠いてあり、この切欠部の上側部分が、笠木本体１５の係止壁１３に係止する係止部３１となっている。また、前後の係止部３１の間部分は下側に突出する形状となっており、この突出部が、笠木本体１５の間隙部１４に挿入される挿入部３２となっている。挿入部３２の前後幅は、間隙部１４の前後幅よりもわずかに狭く、挿入部３２の高さは係止壁１３の厚さよりもわずかに低くなっている。また、係止部材３の上面は、笠木本体１５の周壁部１１の内周面の形状に応じた曲面となっており、さらに上面の前後方向中央部には、上側に向けて開口する断面略コ字形の溝部３３を形成してある。この係止部材３は、図１に示すように、前後の係止部３１を笠木本体１５の係止壁１３に係止させ、挿入部３２を笠木本体１５の間隙部１４に挿入させることで、笠木本体１５の係止壁１３の上側の空間に丁度納まるものであり、納めた状態で笠木１の長手方向に移動自在である。なお、本実施形態において、係止部材３の左右長さは、笠木１の取付部材１７の間隔（約１ｍ）よりもやや短いものである。
【００２０】
そして、図２、図９および図１０に示すように、照明体２と係止部材３とを引き寄せネジ４により連結してある。照明体２の上側には、平面視して照明体２と略同じ前後幅でやや左右幅が長い板状のベース部材６を設けてあり、ベース部材６に対して、照明体２の左右のフランジ２２を下側からネジ止めして固定してある。また、ベース部材６の左右端部（照明体２よりも左右方向外側位置）には、上下に貫通するネジ孔６１を形成してある。そして、ベース部材６の上側に係止部材３を設けてあり、引き寄せネジ４をベース部材６の左右のネジ孔６１に下側から挿入し、係止部材３に形成した雌ネジ部に螺合させて、ベース部材６と係止部材３とを連結してあり、すなわち、ベース部材６を介して照明体２と係止部材３とを連結してある。なお、図１０に示すように、本実施形態においては、照明体２よりも係止部材３の方が左右に大幅に長く、係止部材３の左右方向中央に照明体２を取り付けてある。
【００２１】
さらに、図１および図２に示すように、連結した照明体２および係止部材３を、笠木１の左右端部から内部に挿入して納めてある。この際、照明体２を取り付けたベース部材６と、係止部材３の左右の係止部３１とで、笠木本体１５の左右の係止壁１３を挟むようにしてあり、すなわち、ベース部材６を介して照明体２と係止部材３とで２つの係止壁１３を挟むようにしてある。また、引き寄せネジ４は、左右の係止壁１３の間の間隙部１４を通してある。ただし、係止部材３の挿入部３２の高さが係止壁１３の厚さよりも低いので、引き寄せネジ４を最後まで締め込んだ状態では、ベース部材６と係止部材３の係止部３１の間の隙間が係止壁１３の厚さよりも狭くなるので、挿入することができない。よって、挿入する際には、引き寄せネジ４を緩めて、ベース部材６と係止部材３の係止部３１の間の隙間を係止壁１３の厚さよりも広くした状態としてある。その状態であれば、連結した照明体２および係止部材３は、笠木１の長手方向に沿って摺動自在であり、所定の位置、すなわち、照明体２と透光カバー１８の左右方向位置が一致する位置まで移動させることができる。そして、引き寄せネジ４を締め付けることで、照明体２と係止部材３（ベース部材６）とが相互に引き寄せられ、ベース部材６を介して照明体２と係止部材３で係止壁１３を挟み込んで、照明体２が笠木本体１５に固定される。なお、前述のように、目板１６および取付部材１７についても、係止部材３にネジ止めして固定される。
【００２２】
ブラケット５は、図６および図７に示すように、手すりを設置する壁面Ｗに対して左右に等間隔に複数個取り付けてある。その間隔は、笠木１の取付部材１７同士の間隔に等しく、すなわち、本実施形態では約１ｍ間隔である。ブラケット５についてより詳しくは、壁面Ｗに固定する基部５１と、基部５１の前面上端から前側上方に向けて延び途中で屈曲して垂直上方に向けて延びる腕部５２と、腕部５２の上端に設けた受部５３からなる。受部５３は、左右方向から見て下側に凸となる向きの三日月形で、前後方向中心は腕部５２の上端より前側にずれており、上面が笠木１の取付部材１７の下面と一致する円弧状となっている。基部５１は、壁面Ｗに埋め込んだナットアンカー５４に対して前側からボルト止めして固定してある。基部５１にはカバー５５を被せてボルトを隠してある。そして、受部５３に笠木１を載置してある。この際、それぞれのブラケット５の受部５３の上に取付部材１７が位置するようにしてあり、それぞれ受部５３の下側から取付部材１７に対してネジ止めして固定してある。
【００２３】
なお、図８に示すように、笠木１の左右端部には、キャップ１９を嵌めて、端面を覆い隠してある。
【００２４】
続いて、図１１に基づき、この手すりの第一実施形態の施工手順を説明する。
１．ベース部材６に照明体２をネジ止めして取り付ける。
２．引き寄せネジ４によって、係止部材３にベース部材６を取り付ける。ただし、引き寄せネジ４は緩めた状態である。
３．連結した照明体２および係止部材３を、笠木１の内部に挿入する。
４．笠木本体１５に１つの目板１６を取り付け、それに隣接する取付部材１７および透光カバー１８を取り付ける。ただし、目板１６および取付部材１７はネジ止めしない。
５．連結した照明体２および係止部材３を笠木１の内部で左右方向に摺動させ、照明体２の位置を透光カバー１８の位置に合わせる。
６．一旦目板１６を取り外し、引き寄せネジ４を締め込んで、照明体２を笠木本体１５に固定する。
７．再び目板１６を取り付け、目板１６および取付部材１７を係止部材３に対してネジ止めして固定する。
８．同様にして、順次照明体２の位置合わせをしつつ、照明体２を笠木本体１５に固定し、さらに目板１６、取付部材１７および透光カバー１８も笠木本体１５に取り付ける。
９．笠木本体１５に全ての照明体２、目板１６、取付部材１７および透光カバー１８を取り付け後、笠木１の左右端部にキャップ１９を取り付ける。
１０．壁面Ｗにブラケット５を取り付ける。
１１．笠木１をブラケット５の受部５３に載置し、ネジ止めして固定する。
以上で、手すりの第一実施形態の施工が完了する。なお、これらの各工程は、全てが施工現場で行われるものであってもよいし、一部が工場で行われ、残りが施工現場で行われるものであってもよい。
【００２５】
このように構成した本発明の手すりの第一実施形態によれば、引き寄せネジ４が、笠木１の長手方向に延びる間隙部１４を通すものであるから、引き寄せネジ４を緩めてあれば、照明体２と係止部材３により係止壁１３を挟んだ状態で、照明体２および係止部材３を笠木１の長手方向に摺動自在となる。これにより、照明体２と係止部材３により、係止壁１３を笠木１の長手方向の任意の位置で挟み込んで、照明体２を笠木１に固定できるので、笠木１の長手方向に対する照明体２の取付位置が容易に調整可能である。なお、第一実施形態においては、係止部材３の左右長さが長く（笠木１の取付部材１７の間隔よりもやや短い程度）、実際に照明体２および係止部材３を左右に動かすことができる範囲は狭いが、この構造により、照明体２の位置を透光カバー１８の位置に合わせるのが容易であり、施工性が良好である。また、係止部材３の挿入部３２が笠木１の長手方向に延びる間隙部１４に挿入されているので、係止部材３が、間隙部１４に沿ってスムーズに移動可能であり、かつ笠木１の長手方向に直交する方向（前後方向）について位置決めされる。よって、照明体２を前後方向について位置調整する必要はなく、左右方向についてのみ位置調整すればよいので、照明体２の位置調整がより容易である。
【００２６】
次に、この手すりの第二実施形態について説明する。第二実施形態は、図１２および図１３に示すように、左右に間隔を空けて立設した複数本の支柱７の上端に笠木１を取り付けたものであって、通路などにおいて歩行者の補助のために設置されるものである。笠木１は、第一実施形態のものと比べて、取付部材１７ａの形状のみが異なっている。以下、第一実施形態と異なる部分についてのみ説明し、その他は省略する。
【００２７】
第二実施形態の笠木１の取付部材１７ａは、左右長さが第一実施形態のものと同じであって、笠木本体１５の下部の開口を塞ぐものであり、笠木本体１５に取り付けた状態において、左右方向から見て略３／４円弧状の周壁部１１に対して、残りの１／４円弧部分となる形状である。ただし、前後方向中央部（下端部）は、水平面状に形成してある。そして、この水平面部の前端と後端から垂直下向きに延びる２つの垂下片１７３を形成してある。垂下片１７３は、前後方向から見て左右に長い略矩形であって、左右幅は取付部材１７ａ全体の左右幅よりも短いものとなっている。そして、垂下片１７３の前後方向から見て略中心部には、前後方向に貫通するネジ孔を形成してある。また、取付部材１７ａの前後端部の上面は、周壁部１１の前後の下端面と当接する水平面となっており、この前後の水平面の内周側部分に、上向きに延出する延出片１７２を形成してある。延出片１７２は、周壁部１１の前後の爪部１１１にそれぞれ内周側から当接している。なお、取付部材１７ａの下面の、前後方向中心かつ垂下片１７３より左右方向外側の２箇所に、ネジ孔を形成してあり、このネジ孔に下側からネジを挿入して、係止部材３に対して螺合させることで、取付部材１７ａを笠木本体１５に固定してある。
【００２８】
支柱７は、断面円形で垂直に延びるものであって、笠木１の取付部材１７ａと同じ間隔で左右に並べて設けてある。そして、支柱７の上端には、笠木１を支持する支持部材７１を設けてある。支持部材７１は、支柱７の上端を塞ぐ略円板状の蓋部７２と、蓋部７２の上面から垂直上向きに延びる支持板７３からなる。支持板７３は、左右方向に対して平行な向きの略平板状のものであって、上端部は、左右方向中心から左右両側に向けて下方へ傾斜する形状となっている。また、支持板７３の上部には、前後方向に貫通するネジ孔を形成してある。
【００２９】
そして、支柱７の支持部材７１の支持板７３を、笠木１の取付部材１７ａの２つの垂下片１７３で、前後から挟み込んである。この際、支持板７３のネジ孔と前後の垂下片１７３のネジ孔を連通させてあり、前後方向からボルトを挿入し、ナットを螺合させて固定してある。なお、支持板７３の上端部が左右に傾斜しているので、笠木１を水平方向に対して傾斜させて取り付ける場合でも、支持板７３が笠木１の取付部材１７ａに干渉しない。
【００３０】
この手すりの第二実施形態の施工手順については、第一実施形態と工程１〜工程９までが同じであり、それ以降については説明を省略する。そして、このように構成した手すりの第二実施形態も、第一実施形態と同様の作用効果を奏するものである。
【００３１】
次に、この手すりの第三実施形態について説明する。第三実施形態は、図１４および図１５に示すように、左右に間隔を空けて立設した複数本の支柱７ａの上端から前側に持ち出して笠木１を取り付けてあり、支柱７ａの後側にはパネル体８を取り付けたものであって、ベランダなどにおいて転落防止のために設置されるものである。笠木１は、第一実施形態のものと同じである。以下、第一実施形態と異なる部分についてのみ説明し、その他は省略する。
【００３２】
支柱７ａは、断面矩形で垂直に延びるものであって、笠木１の取付部材１７と同じ間隔で左右に並べて設けてある。そして、支柱７ａの上端には、笠木１を支持する支持部材７１ａを設けてある。支持部材７１ａは、左右方向から見て略Ｖ字形のものであって、支柱７ａの上端部から前上方向に向けて延びる前腕部７４と、後上方向に向けて延びる後腕部７５を有している。前腕部７４は、先端側に向けてやや先細り形状となっていて、基端部の下面は水平面になっており、支柱７ａの上端を丁度覆っている。そして、前腕部７４の上端に、第一実施形態のブラケットに設けたものと同形状の受部７６を設けてある。一方、後腕部７５は、先端側に向けてやや先細り形状となった平板状のもので、上端部は、垂直上向きに延び屈曲して後向きに延びる略Ｌ字形の枠取付部７７となっている。また、支柱７ａの後面の下部には、略Ｌ字形の取付具７８を取り付けてある。
【００３３】
パネル体８は、上枠８１と下枠８２を備え、上枠８１と下枠８２の間に、上下に延びる格子材８３を設けてある。上枠８１は、下側に開口する断面略コ字形の形材からなり、開口は目板８４で塞いである。下枠８２は、下側に開口する断面略コ字形の形材からなる。格子材８３は、断面略矩形の形材からなり、左右に等間隔に複数本並んでおり、上端部が上枠８１の目板８４にネジ止めして固定してあり、下端部が下枠８２の上面にネジ止めして固定してある。
【００３４】
そして、支持部材７１ａの前腕部７４の受部７６に笠木１を載置してあり、受部７６の下側から取付部材１７に対してネジ止めして固定してある。また、支持部材７１ａの後腕部７５の枠取付部７７が、パネル体８の上枠８１の内側に納めてあって、上枠８１が後腕部７５に固定されている。さらに、支柱７ａの後面に取り付けた取付具７８の上面に、上側に開口する断面略コ字形の固定具７９をネジ止めして固定してあり、パネル体８の下枠８２が、固定具７９を内側に納めるようにして取付具７８に載置されており、下枠８２を固定具７９にネジ止めして固定してある。
【００３５】
この手すりの第三実施形態の施工手順については、第一実施形態と工程１〜工程９までが同じであり、それ以降については説明を省略する。そして、このように構成した手すりの第三実施形態も、第一実施形態と同様の作用効果を奏するものである。
【００３６】
本発明は、上記の実施形態に限定されない。たとえば、笠木の長さに対する照明体の数や間隔は、目板や係止部材の長さを変更することで、自在に設定できる。また、ブラケットや支柱などの笠木を支持する部材の数や間隔も、同様に自在に設定できる。さらに、引き寄せ部材は、照明体と係止部材とを相互に引き寄せるもの、すなわち、相互に近づく方向に付勢力を作用させるものであれば、どのようなものであってもよく、上記のネジの他、ボルトおよびナットからなるものであってもよいし、バネなどの弾性部材を用いたものであってもよい。また、係止部材は、上記の実施形態のものより短いもの、たとえば照明体の左右長さと同じ程度の長さのものであってもよい。その場合、目板や取付部材は、笠木本体に直接ネジ止めしたり、透光カバーと同様に爪構造で係合させたりして固定すればよい。さらに、第一実施形態や第三実施形態のように、目板と同形状の取付部材を用いる場合においては、取付部材を用いずに当該部分の開口も目板で塞いでもよい。また、笠木が水平方向に一直線の延びるものに限られず、笠木が階段などに傾斜して配置されるものであってもよいし、笠木が途中で屈曲して延びる向きが変わるものであってもよい。さらに、第三実施形態において、パネル体は、上記の縦格子を設けた構成のほか、横格子、ルーバー格子やガラスパネルを設けたものであってもよい。
【符号の説明】
【００３７】
１  笠木
２  照明体
３  係止部材
４  引き寄せネジ（引き寄せ部材）
１１  周壁部
１２  透光部
１３  係止壁
１４  間隙部
３１  係止部
３２  挿入部
【図１】
2020084735.tif 000003
【図２】
2020084735.tif 000004
【図３】
2020084735.tif 000005
【図４】
2020084735.tif 000006
【図５】
2020084735.tif 000007
【図６】
2020084735.tif 000008
【図７】
2020084735.tif 000009
【図８】
2020084735.tif 000010
【図９】
2020084735.tif 000011
【図１０】
2020084735.tif 000012
【図１１】
2020084735.tif 000013
【図１２】
2020084735.tif 000014
【図１３】
2020084735.tif 000015
【図１４】
2020084735.tif 000016
【図１５】
2020084735.tif 000017